(57)【要約】【課題】  通信に障害が発生している場合であっても、全ての光源が消灯される状態の発生が抑えられる照明システムを提供する。【解決手段】  各照明器具１は、移動体３の検出と、他の照明器具１から受信された信号とに応じて決定されるオン期間中にのみ光源を点灯させる。移動体３を検出した照明器具１は、移動体３の進行方向側（図での右側）に隣り合う他の照明器具１に対して通知信号を送信するとともに、所定の第１オン時間にわたって光源を点灯させる。通知信号を受信した照明器具１は、応答信号を通知信号の送信元の照明器具１に対して送信するとともに、所定の第２オン時間にわたって光源を点灯させる。通知信号を送信した照明器具１は、所定の応答待ち時間が経過しても応答信号が受信されない場合、上記の第１オン時間の経過後にも光源の点灯を継続する。【選択図】図１
2014235828.tif 000002
【特許請求の範囲】
【請求項１】
電気的な光源からなる第１光源と、
所定の移動方向に移動して前記第１光源に接近する移動体を検出する第１移動体センサと、
電気的な光源からなり前記第１光源よりも前記移動方向側に配置された第２光源と、
前記第１光源を点灯させる第１光源駆動回路と、
前記第２光源を点灯させる第２光源駆動回路と、
相互に通信を行う第１通信回路および第２通信回路と、
前記第１光源駆動回路と前記第１通信回路とを制御する第１制御回路と、
前記第２光源駆動回路と前記第２通信回路とを制御する第２制御回路とを備え、
前記第１制御回路は、前記第１移動体センサによって前記移動体が検出されたとき、所定の通知信号を前記第２通信回路に対して送信するように前記第１通信回路を制御するとともに、所定の第１オン時間にわたって前記第１光源を点灯させるように前記第１光源駆動回路を制御し、
前記第２制御回路は、前記第１通信回路からの前記通知信号が前記第２通信回路に受信されたとき、所定の応答信号を前記第１通信回路に対して送信するように前記第２通信回路を制御するとともに、所定の第２オン時間にわたって前記第２光源を点灯させるように前記第２光源駆動回路を制御し、
前記第１制御回路は、前記第１通信回路から前記第２通信回路に前記通知信号が送信されてから所定の応答待ち時間が経過しても前記応答信号が前記第１通信回路に受信されない場合、前記第１オン時間の経過後もさらに所定の第３オン時間が経過するまでは前記第１光源の点灯を継続するように前記第１光源駆動回路を制御することを特徴とする照明システム。
【請求項２】
電気的な光源からなり前記第１光源よりも前記移動方向側へ向けられた補助光源と、
前記補助光源を点灯させる補助駆動回路とを備え、
前記第１制御回路は、前記第１通信回路から前記第２通信回路に前記通知信号が送信されてから前記応答待ち時間が経過しても前記応答信号が受信されない場合に、前記補助光源の光出力を上昇させるように前記補助駆動回路を制御することを特徴とする請求項１記載の照明システム。
【請求項３】
前記移動方向に移動して前記第２光源に接近する移動体を検出する第２移動体センサを備え、
前記第２制御回路は、前記第２移動体センサによって前記移動体が検出されたとき、所定のオフ信号を前記第１通信回路に対して送信するように前記第２通信回路を制御するとともに、さらに前記第１オン時間が経過するまで前記第２光源を点灯させるように前記第２光源駆動回路を制御し、
前記第１制御回路は、前記オフ信号が前記第１通信回路に受信されたとき前記第１光源を消灯させるように前記第１光源駆動回路を制御することを特徴とする請求項１または請求項２記載の照明システム。
【請求項４】
前記移動方向に移動して前記第２光源に接近する移動体を検出する第２移動体センサと、
前記第２光源よりも前記移動方向側に位置する第３光源と、
前記第３光源を点灯させる第３光源駆動回路と、
前記第２通信回路との間で通信を行う第３通信回路と、
前記第３光源駆動回路と前記第３通信回路とを制御する第３制御回路とを備え、
前記第２制御回路は、前記第２移動体センサによって前記移動体が検出されたとき、前記通知信号を前記第３通信回路に対して送信するように前記第２通信回路を制御するとともに、さらに前記第１オン時間が経過するまで前記第２光源を点灯させるように前記第２光源駆動回路を制御し、
前記第３制御回路は、前記第２通信回路からの前記通知信号が前記第３通信回路に受信されたとき、前記応答信号を前記第２通信回路に対して送信するように前記第３通信回路を制御するとともに、前記第２オン時間にわたって前記第３光源を点灯させるように前記第３光源駆動回路を制御し、
前記第２制御回路は、前記第２通信回路から前記第３通信回路に前記通知信号が送信されてから前記応答待ち時間が経過しても前記応答信号が前記第２通信回路に受信されない場合、前記通知信号を前記第１通信回路に送信するように前記第２通信回路を制御し、
前記第１制御回路は、前記第２通信回路からの前記通知信号が前記第１通信回路に受信されると、前記第２オン時間にわたって前記第１光源を点灯させるように前記第１光源駆動回路を制御することを特徴とする請求項１〜３のいずれか１項に記載の照明システム。
【請求項５】
前記第２光源よりも前記移動方向側に位置する第３光源と、
前記第３光源を点灯させる第３光源駆動回路と、
前記第１通信回路との間で通信を行う第３通信回路と、
前記第３光源駆動回路と前記第３通信回路とを制御する第３制御回路とを備え、
前記第１制御回路は、前記第１通信回路から前記第２通信回路に前記通知信号が送信されてから前記応答待ち時間が経過しても前記応答信号が前記第１通信回路に受信されない場合、前記通知信号を前記第３通信回路に対して送信するように前記第１通信回路を制御し、
前記第３制御回路は、前記第１通信回路からの前記通知信号が前記第３通信回路に受信されたとき、前記第２オン時間にわたって前記第３光源を点灯させるように前記第３光源駆動回路を制御することを特徴とする請求項１〜４のいずれか１項に記載の照明システム。
【発明の詳細な説明】
【技術分野】
【０００１】
本発明は、照明システムに関するものである。
【背景技術】
【０００２】
従来から、道路に沿って配置された複数個の街路灯のような照明器具を備える照明システムとして、各照明器具がそれぞれ移動体センサを備え、移動体センサによって移動体（車両等）が検出されてから所定時間が経過するまでの期間にのみ照明器具を点灯させるものがある。
【０００３】
上記のような照明システムによれば、全ての照明器具が常時点灯される場合に比べ、消費電力が抑えられる。
【０００４】
さらに、移動体を検出した照明器具だけでなく該照明器具に対して移動体の進行方向に位置する別の照明器具も点灯させるように照明器具間で無線通信を行うことが提案されている（例えば、特許文献１参照）。
【０００５】
すなわち、移動体を検出した照明器具から、該照明器具よりも移動体の進行方向側に位置する別の照明器具に対して点灯を指示する信号が送信され、この信号を受信した照明器具も点灯を開始する。これにより、移動体の進行方向への照明範囲が確保される。
【先行技術文献】
【特許文献】
【０００６】
【特許文献１】特開２０１２−２２６９９３号公報
【発明の概要】
【発明が解決しようとする課題】
【０００７】
例えば上記の信号が電波を媒体とする無線信号であって電波障害が発生している場合のように、信号の送受信に不具合が生じている場合、上記の信号の受信による点灯が不可能となる。このような場合に、移動体の検出に不具合が生じている照明器具が存在すると、その照明器具によって移動体が検出されるべき範囲に移動体が存在するときに、全ての照明器具が消灯されてしまう状態が発生する可能性がある。
【０００８】
本発明は、上記事由に鑑みて為されたものであり、その目的は、通信に障害が発生している場合であっても、全ての光源が消灯される状態の発生が抑えられる照明システムを提供することにある。
【課題を解決するための手段】
【０００９】
本発明の照明システムは、電気的な光源からなる第１光源と、所定の移動方向に移動して前記第１光源に接近する移動体を検出する第１移動体センサと、電気的な光源からなり前記第１光源よりも前記移動方向側に配置された第２光源と、前記第１光源を点灯させる第１光源駆動回路と、前記第２光源を点灯させる第２光源駆動回路と、相互に通信を行う第１通信回路および第２通信回路と、前記第１光源駆動回路と前記第１通信回路とを制御する第１制御回路と、前記第２光源駆動回路と前記第２通信回路とを制御する第２制御回路とを備え、前記第１制御回路は、前記第１移動体センサによって前記移動体が検出されたとき、所定の通知信号を前記第２通信回路に対して送信するように前記第１通信回路を制御するとともに、所定の第１オン時間にわたって前記第１光源を点灯させるように前記第１光源駆動回路を制御し、前記第２制御回路は、前記第１通信回路からの前記通知信号が前記第２通信回路に受信されたとき、所定の応答信号を前記第１通信回路に対して送信するように前記第２通信回路を制御するとともに、所定の第２オン時間にわたって前記第２光源を点灯させるように前記第２光源駆動回路を制御し、前記第１制御回路は、前記第１通信回路から前記第２通信回路に前記通知信号が送信されてから所定の応答待ち時間が経過しても前記応答信号が前記第１通信回路に受信されない場合、前記第１オン時間の経過後もさらに所定の第３オン時間が経過するまでは前記第１光源の点灯を継続するように前記第１光源駆動回路を制御することを特徴とする。
【００１０】
上記の照明システムにおいて、電気的な光源からなり前記第１光源よりも前記移動方向側へ向けられた補助光源と、前記補助光源を点灯させる補助駆動回路とを備え、前記第１制御回路は、前記第１通信回路から前記第２通信回路に前記通知信号が送信されてから前記応答待ち時間が経過しても前記応答信号が受信されない場合に、前記補助光源の光出力を上昇させるように前記補助駆動回路を制御することが望ましい。
【００１１】
また、上記の照明システムにおいて、前記移動方向に移動して前記第２光源に接近する移動体を検出する第２移動体センサを備え、前記第２制御回路は、前記第２移動体センサによって前記移動体が検出されたとき、所定のオフ信号を前記第１通信回路に対して送信するように前記第２通信回路を制御するとともに、さらに前記第１オン時間が経過するまで前記第２光源を点灯させるように前記第２光源駆動回路を制御し、前記第１制御回路は、前記オフ信号が前記第１通信回路に受信されたとき前記第１光源を消灯させるように前記第１光源駆動回路を制御することが望ましい。
【００１２】
さらに、上記の照明システムにおいて、前記移動方向に移動して前記第２光源に接近する移動体を検出する第２移動体センサと、前記第２光源よりも前記移動方向側に位置する第３光源と、前記第３光源を点灯させる第３光源駆動回路と、前記第２通信回路との間で通信を行う第３通信回路と、前記第３光源駆動回路と前記第３通信回路とを制御する第３制御回路とを備え、前記第２制御回路は、前記第２移動体センサによって前記移動体が検出されたとき、前記通知信号を前記第３通信回路に対して送信するように前記第２通信回路を制御するとともに、さらに前記第１オン時間が経過するまで前記第２光源を点灯させるように前記第２光源駆動回路を制御し、前記第３制御回路は、前記第２通信回路からの前記通知信号が前記第３通信回路に受信されたとき、前記応答信号を前記第２通信回路に対して送信するように前記第３通信回路を制御するとともに、前記第２オン時間にわたって前記第３光源を点灯させるように前記第３光源駆動回路を制御し、前記第２制御回路は、前記第２通信回路から前記第３通信回路に前記通知信号が送信されてから前記応答待ち時間が経過しても前記応答信号が前記第２通信回路に受信されない場合、前記通知信号を前記第１通信回路に送信するように前記第２通信回路を制御し、前記第１制御回路は、前記第２通信回路からの前記通知信号が前記第１通信回路に受信されると、前記第２オン時間にわたって前記第１光源を点灯させるように前記第１光源駆動回路を制御することを特徴とする。
【００１３】
また、上記の照明システムにおいて、前記第２光源よりも前記移動方向側に位置する第３光源と、前記第３光源を点灯させる第３光源駆動回路と、前記第１通信回路との間で通信を行う第３通信回路と、前記第３光源駆動回路と前記第３通信回路とを制御する第３制御回路とを備え、前記第１制御回路は、前記第１通信回路から前記第２通信回路に前記通知信号が送信されてから前記応答待ち時間が経過しても前記応答信号が前記第１通信回路に受信されない場合、前記通知信号を前記第３通信回路に対して送信するように前記第１通信回路を制御し、前記第３制御回路は、前記第１通信回路からの前記通知信号が前記第３通信回路に受信されたとき、前記第２オン時間にわたって前記第３光源を点灯させるように前記第３光源駆動回路を制御することが望ましい。
【発明の効果】
【００１４】
本発明によれば、通信に障害が発生している場合は第１通信回路において応答信号が受信されないことで第１光源の点灯時間が第３オン時間だけ延長されるから、第１光源の点灯時間が延長されない場合に比べ、全ての光源が消灯されてしまう状態が発生しにくい。
【図面の簡単な説明】
【００１５】
【図１】本発明の実施形態の概略を示す説明図である。
【図２】同上の照明器具を示すブロック図である。
【図３】同上の変更例における照明器具を示すブロック図である。
【図４】（ａ）（ｂ）はそれぞれ図３の例における照明器具の例を示す説明図であり、（ａ）（ｂ）は光源に対する補助光源の向きが互いに異なるものを示す。
【発明を実施するための形態】
【００１６】
以下、本発明を実施するための最良の形態について、図面を参照しながら説明する。
【００１７】
本実施形態は、図１に示すように、道路２に沿って配置された複数個の照明器具１を備える。各照明器具１は、それぞれ道路２の脇に立てられたポールの上端部に固定されて路面を照明する、いわゆる街路灯である。
【００１８】
各照明器具１は、図２に示すように、電気的な光源１０と、光源１０を点灯させる光源駆動回路１１とを備える。
【００１９】
光源１０としては、例えば発光ダイオードや放電灯のような周知の光源を用いることができる。また、光源駆動回路１１は、光源１０として発光ダイオードが用いられる場合には周知の直流電源回路を用いて実現可能であり、光源１０として放電灯が用いられる場合には周知の電子安定器を用いて実現可能であるといったように、周知技術で実現可能である。
【００２０】
また、各照明器具１は、道路２上を接近する移動体３を検出するとともに該移動体３の移動速度Ｓを検出する移動体センサ１２と、他の照明器具１と通信するための通信回路１３と、光源駆動回路１１と通信回路１３とを制御する制御回路１４とを備える。本実施形態の光源１０は主に道路２の特定の車線を照明するものであり、上記の移動体３としては該車線上を走行する自動車が想定されている。つまり、移動体３の移動方向は、図１に矢印Ｓで示す特定の方向（図１における右方向）であると想定されている。
【００２１】
移動体センサ１２としては、例えば、ドップラーセンサを用いることができる。ドップラーセンサは、送信波（例えばマイクロ波や超音波）の移動体３での反射における周波数の変動（ドップラーシフト）に基いて、移動体３の存在を検出するものである。上記の送信波は、例えば、移動体３が接近してくると推定される方向（図１での左方）に向けて送信される。上記のような移動体センサ１２は周知技術で実現可能であるので、詳細な図示並びに説明は省略する。
【００２２】
通信回路１３は、例えば電波を媒体とする無線信号を送受信するものである。また、各照明器具１には予めアドレスが割り当てられており、通信回路１３が送受信する信号には、送信元の照明器具１のアドレスと、送信先の照明器具１のアドレスとが示される。そして、通信回路１３は、自己（照明器具１）のアドレスが送信先のアドレスとして示された信号のみを受信する。このような通信回路１３は周知技術により実現可能であるので、詳細な図示並びに説明は省略する。
【００２３】
制御回路１４は、例えばマイコンを用いて周知技術により実現可能である。照明器具１において通信回路１３または制御回路１４には、自己（照明器具１）のアドレスと、移動体３の進行方向側（図１での右側）に隣接する他の照明器具１のアドレスが予め記憶される。ただし、移動体３の進行方向側の端（図１での右端）に配置された照明器具１では、記憶されるアドレスは自己のアドレスのみとなる。
【００２４】
以下、制御回路１４の動作について説明する。
【００２５】
制御回路１４は、移動体センサ１２による検出と通信回路１３に受信された信号とに応じて決定されるオン期間中にのみ光源１０を点灯させ、オン期間以外の期間（以下、「オフ期間」と呼ぶ。）中には光源１０を消灯させるように光源駆動回路１１を制御する。
【００２６】
制御回路１４は、移動体センサ１２によって移動体３が検出されたときから所定の第１オン時間が経過するまではオン期間とする。すなわち、オフ期間中に移動体センサ１２によって移動体３が検出された場合、制御回路１４は、光源１０の点灯を開始させるように光源駆動回路１１を制御する。また、制御回路１４は、移動体センサ１２によって移動体３が検出されたとき、移動体３の進行方向側（図１での右側）に位置する照明器具１に対して所定の通知信号を送信するように通信回路１３を制御するとともに、所定の応答待ち時間の計時を開始する。
【００２７】
さらに、制御回路１４は、上記の通知信号が通信回路１３に受信されたときから所定の第２オン時間が経過するまではオン期間とする。すなわち、オフ期間中に通知信号が通信回路１３に受信された場合、制御回路１４は、光源１０の点灯を開始させるように光源駆動回路１１を制御する。上記の第２オン時間は、例えば、上記の通知信号を送信した照明器具１から上記の通知信号を受信した照明器具１までの距離を移動体３が移動するのにかかる時間の推定値とされる。また、制御回路１４は、通知信号が通信回路１３に受信されると、該通知信号の送信元の照明器具１に対して所定の応答信号を送信するように通信回路１３を制御する。
【００２８】
通知信号を送信した照明器具１において、制御回路１４は、応答待ち時間の計時が完了するまでに（つまり通知信号を送信してから応答待ち時間が経過するまでに）応答信号が通信回路１３に受信された場合、応答待ち時間の計時を終了する。また、制御回路１４は、通知信号を送信してから応答待ち時間の計時が完了（つまり応答待ち時間が経過）しても応答信号が通信回路１３に受信されなかった場合、第１オン時間の経過後にも、さらに所定の第３オン時間が経過するまではオン期間を継続する。応答待ち時間は、第１オン時間に一致していてもよいし、第１オン時間よりも短くてもよい。上記動作においては、通知信号の送信元の照明器具１の光源１０、光源駆動回路１１、移動体センサ１２、通信回路１３、制御回路１４がそれぞれ第１光源、第１光源駆動回路、第１移動体センサ、第１通信回路、第１制御回路である。また、上記動作において、通知信号の送信先（つまり上記の照明器具１の右隣）の照明器具１の光源１０、光源駆動回路１１、通信回路１３、制御回路１４がそれぞれ第２光源、第２光源駆動回路、第２通信回路、第２制御回路である。
【００２９】
上記構成によれば、通信に障害が発生している場合には通知信号を送信した照明器具１において応答信号が受信されないことでオン期間が第３オン時間だけ延長されるから、オン期間が延長されない場合に比べ、全ての照明器具１で光源１０が消灯されてしまう状態が発生しにくい。
【００３０】
また、制御回路１４は、通知信号が通信回路１３に受信されてから第１オン時間が経過するまでに移動体センサ１２に移動体が検出された場合、通知信号の送信元の照明器具１に対して所定のオフ信号を送信するように通信回路１３を制御する。
【００３１】
通知信号を送信した照明器具１において、上記のオフ信号が通信回路１３に受信されると、制御回路１４は、光源１０を消灯させるように光源駆動回路１１を制御してオフ期間に移行する。これにより、消費電力が低減されるとともに、光源１０の点灯が付近の動植物に与える悪影響（いわゆる光害）が抑えられる。
【００３２】
なお、通知信号を送信した照明器具１において、通知信号を送信してから応答待ち時間が経過しても応答信号が通信回路１３に受信されなかった場合、制御回路１４が、さらに他の照明器具１に対して通知信号を送信するように通信回路１３を制御してもよい。この場合、上記他の照明器具１のアドレスが通信回路１３や制御回路１４に予め記憶されている必要がある。上記他の照明器具１としては、例えば、最初に通知信号が送信された照明器具１よりもさらに移動体３の移動方向側に位置する（つまり送信元の２つ先の）照明器具１や、送信元の照明器具１よりも移動体３の移動方向の逆側に位置する（つまり送信元の１つ手前の）照明器具１が考えられる。この構成を採用すれば、１つ先の照明器具１において通信回路１３に不具合が発生している場合でも、２つ先の照明器具１や１つ手前の照明器具１で照明を確保できる可能性がある。
【００３３】
通知信号が２つ先の照明器具１に送信される例では、通知信号の送信元の照明器具１の光源１０、光源駆動回路１１、移動体センサ１２、通信回路１３、制御回路１４がそれぞれ第１光源、第１光源駆動回路、第１移動体センサ、第１通信回路、第１制御回路である。また、２つ先の照明器具１の光源１０、光源駆動回路１１、通信回路１３、制御回路１４がそれぞれ第３光源、第３光源駆動回路、第３通信回路、第３制御回路である。さらに、最初に通知信号を送信される（つまり１つ先の）照明器具１の光源１０、光源駆動回路１１、通信回路１３、制御回路１４がそれぞれ第２光源、第２光源駆動回路、第２通信回路、第２制御回路である。
【００３４】
通知信号が１つ手前の照明器具１に送信される例では、通知信号の送信元の照明器具１の光源１０、光源駆動回路１１、移動体センサ１２、通信回路１３、制御回路１４がそれぞれ第２光源、第２光源駆動回路、第２移動体センサ、第２通信回路、第２制御回路である。また、１つ手前の照明器具１の光源１０、光源駆動回路１１、移動体センサ１２、通信回路１３、制御回路１４がそれぞれ第１光源、第１光源駆動回路、第１移動体センサ、第１通信回路、第１制御回路である。さらに、最初に通知信号を送信される（つまり１つ先の）照明器具１の光源１０、光源駆動回路１１、通信回路１３、制御回路１４がそれぞれ第３光源、第３光源駆動回路、第３通信回路、第３制御回路である。
【００３５】
さらに、図３及び図４（ａ）（ｂ）に示すように、電気的な光源からなり光源１０よりも移動体３の進行方向の一方側（図１での右側）へ向けられた補助光源１５と、補助光源１５を点灯させる補助駆動回路１６とを設けてもよい。図４（ａ）のように光源１０の光軸が鉛直下方に向けられる場合、補助光源１５の光軸は例えば上記一方側の斜め下（図４（ａ）での右斜め下）に向けられる。この場合、制御回路１４は、図１での右側（つまり補助光源１５が向けられた側）に配置された照明器具１に対して通知信号が送信されてから応答待ち時間が経過しても応答信号が受信されない場合、応答待ち時間が経過した時点から所定の第４オン時間が経過するまでの期間（以下、「第２オン期間」と呼ぶ。）には、その他の期間よりも補助光源１５の光出力を上昇させるように補助駆動回路１６を制御する。具体的には例えば、制御回路１４は、第２オン期間中には補助光源１５を定格点灯させ、オン期間であって第２オン期間でない期間中には補助光源１５を定格点灯よりも低い出力で点灯（いわゆる調光点灯）させ、オフ期間であって第２オン期間でない期間中には補助光源１５を消灯させるように、補助駆動回路１６を制御する。補助光源１５としては光源１０と同様に周知の電気的な光源を用いることができ、補助駆動回路１６は光源駆動回路１１と同様に周知技術で実現可能である。
【符号の説明】
【００３６】
３  移動体
１０  光源
１１  光源駆動回路
１２  移動体センサ
１３  通信回路
１４  制御回路
１５  補助光源
１６  補助駆動回路
【図１】
2014235828.tif 000003
【図２】
2014235828.tif 000004
【図３】
2014235828.tif 000005
【図４】
2014235828.tif 000006